(57)【特許請求の範囲】
【請求項１】
物体側から像面側へ順に、正の屈折力を有する第１レンズ群、負の屈折力を有する第２レンズ群、正の屈折力を有する第３レンズ群、負の屈折力を有する第４レンズ群、正の屈折力を有する第５レンズ群、正の屈折力を有する第６レンズ群から成り、
広角端から望遠端への変倍に際して前記第１レンズ群と前記第２レンズ群との間隔が大きく、前記第２レンズ群と前記第３レンズ群との間隔が小さく、前記第３レンズ群と前記第４レンズ群との間隔が変化し、前記第４レンズ群と前記第５レンズ群との間隔が変化し、前記第５レンズ群と前記第６レンズ群との間隔が小さくなり、
無限遠から近距離物体への合焦に際して、前記第２レンズ群を物体側に移動させ、
防振に際して前記第４レンズ群が光軸と略垂直方向に動き、
以下に示す条件式（１）乃至（３）を満足することを特徴とするズームレンズ系。
（１）０．２＜ｆ１／ｆｔ＜３．０
（２）０．１＜ｆ６／ｆｔ＜２．０
（３）０．３＜｜ｆ２／ｆｗ｜＜１．０
ｆ１：前記第１レンズ群の焦点距離
ｆ６：前記第６レンズ群の焦点距離
ｆｔ：ズームレンズ系の望遠端における焦点距離
ｆ２：前記第２レンズ群の焦点距離
ｆｗ：ズームレンズ系の広角端における焦点距離
【請求項２】
広角端から望遠端への変倍に際して、前記第３レンズ群と前記第５レンズ群は同移動量であることを特徴とする請求項１記載のズームレンズ系。
【請求項３】
以下に示す条件式（４）を満足することを特徴とする請求項１乃至２いずれかに記載のズームレンズ系。
（４）０．３＜｜ｆ３／ｆ４｜＜１．０
ｆ３：前記第３レンズ群の焦点距離
ｆ４：前記第４レンズ群の焦点距離
【請求項４】
以下に示す条件式（５）を満足することを特徴とする請求項１乃至３いずれかに記載のズームレンズ系。
（５）０．１＜｜ｆ４／ｆ５｜＜３．０
ｆ４：前記第４レンズ群の焦点距離
ｆ５：前記第５レンズ群の焦点距離
【請求項５】
前記第１レンズ群は、少なくとも２枚の正レンズを有し、下記に記載の屈折率及びアッベ数を持つ正レンズを含むことを特徴とする請求項１乃至４のいずれかに記載のズームレンズ系。
（６）ｎｄ1Ｔａｖｅ＞１．４９
（７）６４＜νｄ１Ｔ
ｎｄ1Ｔａｖｅ：第１レンズ群に含まれる正レンズの屈折率の平均値
νｄ１Ｔ：第１レンズ群に含まれる正レンズの中で最も低分散なレンズのアッベ数
【請求項６】
前記第１レンズ群は、少なくとも１枚の負レンズを有し、下記に記載の屈折率を持つ負レンズを含むことを特徴とする請求項１乃至５のいずれかに記載のズームレンズ系。
（８）ｎｄ１Ｕ＞１．８０
ｎｄ１Ｕ：第１レンズ群に含まれる負レンズの屈折率
【請求項７】
前記第３レンズ群は、少なくとも２枚の正レンズを有し、下記に記載の屈折率及びアッベ数を持つ正レンズを含むことを特徴とする請求項１乃至６のいずれかに記載のズームレンズ系。
（９）ｎｄ３Ｔａｖｅ＜１．７５
（１０）６４＜νｄ３Ｔ
ｎｄ３Ｔａｖｅ：第３レンズ群に含まれる正レンズの屈折率の平均値
νｄ３Ｔ：第３レンズ群に含まれる正レンズの中で最も低分散なレンズのアッベ数
【請求項８】
前記第６レンズ群は、少なくとも２枚の正レンズを有し、下記に記載の屈折率及びアッベ数を持つ正レンズを含むことを特徴とする請求項１乃至７のいずれかに記載のズームレンズ系。
（１１）ｎｄ６Ｔａｖｅ＜１．７５
（１２）６４＜νｄ６Ｔ
ｎｄ６Ｔａｖｅ：第６レンズ群に含まれる正レンズの屈折率の平均値
νｄ６Ｔ：第６レンズ群に含まれる正レンズの中で最も低分散なレンズのアッベ数
【請求項９】
前記第２レンズ群は、少なくとも２枚の負レンズと１枚の正レンズとを有し、負レンズの少なくとも１面に非球面を有することを特徴とする請求項１乃至８のいずれかに記載のズームレンズ系。
【請求項１０】
前記第６レンズ群は、少なくとも２枚の正レンズと１枚の負レンズとを有し、少なくとも正レンズの１面に非球面を有することを特徴とする請求項１乃至９のいずれかに記載のズームレンズ系。
【請求項１１】
以下の条件式（１３）を満足することを特徴とする請求項１乃至１０のいずれかに記載のズームレンズ系。
（１３）８＜ｆ２／β３６ｗ＜２４
β３６ｗ：広角端における前記第３レンズ群から前記第６レンズ群までの合成倍率
【請求項１２】
請求項１から１１のいずれかに記載のズームレンズを備えたことを特徴とする撮像装置。
【発明の詳細な説明】
【技術分野】
【０００１】
本発明はスチルカメラ、ビデオカメラ等の撮像装置に好適な撮影レンズのうち、ズーム比が１５倍を超える高倍率ズームレンズ、大口径標準ズームレンズ、および広画角を含む標準ズームレンズ、イメージサークルが大きな３５ｍｍ判一眼レフに対応するズーム比が１０倍を超える高倍率ズームレンズに用いられるズームレンズ系に関し、特に防振機構とインナーフォーカス機構とを搭載しながら、小型化と良好な光学性能を実現した、高性能なズームレンズ系及びそれを有する撮像装置に関する。
【背景技術】
【０００２】
スチルカメラ、ビデオカメラ等の撮像装置に用いられる撮影レンズのうち、標準ズームレンズおよび高倍率ズームレンズにおいては、ズームレンズ系の小型化を図ることが最大の課題である。
【０００３】
一般的に標準系のズームレンズにおいて広角端の画角を広くする場合には、入射側および射出側の光束の傾きが大きくなり、広角端において十分な周辺光量を確保するにはレンズ径を大きくする必要があるので、レンズ鏡筒の全長および外径が大きくなる傾向にある。
【０００４】
また標準系のズームレンズを大口径化する場合には、開口絞り前後の各レンズのレンズ径を大きくする必要があり、さらに十分な収差補正を行いながら周辺光量を確保するためには、入射側および射出側の各レンズのレンズ径も大きくする必要があるので、レンズ鏡筒の全長および外径が大きくなる傾向にある。
【０００５】
高倍率ズームレンズにおいては、変倍のために各レンズ群の移動量が増加し、さらに収差変動も増加することから、ズーム全域で適切な収差補正をする必要があるので、各レンズ群の移動量がさらに増加する傾向にある。
【０００６】
ズーム全域で適切な収差補正をしつつ、各レンズ群の移動量を抑えるには、多群ズームを採用することが望ましい。特にズーム比１５倍を超える高倍率ズーム、大口径ズームレンズ、イメージサークルが大きな３５ｍｍ判一眼レフに対応するズーム比１０倍を超える高倍率ズームにおいては、高性能化に有利となる。
【０００７】
さらに近年、スチルカメラ、ビデオカメラ等の撮像装置に用いられる標準ズームレンズにおいては、手ぶれ等によって生じた光学系の振動による像ぶれを防止する機構、所謂防振機構の搭載が望まれている。しかしながら、防振機構はレンズ系の一部（防振レンズ）をシフトさせて結像位置を移動するため、防振機構を搭載した撮影レンズは径方向に大きくならざるを得ない。また、防振レンズの重量が大きいほど、防振レンズを移動させるアクチュエータを大型のものとしなければならないため、撮影レンズの外径拡大に繋がる。さらに、防振レンズの径が大きいほど防振機構の径が大きくなり、これに伴って撮影レンズの外径が拡大する。
【０００８】
また近年、スチルカメラ、ビデオカメラ等の撮像装置に用いられる撮影レンズのうち、標準ズームレンズおよび高倍率ズームレンズにおいては、迅速なフォーカス駆動と最短撮影距離の短縮を実現するためにインナーフォーカス機構が採用されている。
【先行技術文献】
【特許文献】
【０００９】
【特許文献１】特開２０１３−２５７５０８号公報
【特許文献２】特開２０１３−１８２２４６号公報
【特許文献３】特開２０１２−０４８２１３号公報
【特許文献４】特開２０１０−０３２７００号公報
【発明の概要】
【発明が解決しようとする課題】
【００１０】
特許文献１はズーム比が１０倍を超える高倍率ズームレンズ、大口径標準ズームレンズ、および広画角を含む標準ズームレンズに関するものであり、十分な小型化を実現した高性能なズームレンズ系を開示している。
【００１１】
しかしながら、４群ズームを採用し簡易なズーム構成をとることから、ズーム比が１５倍を超える高倍率ズームレンズを実現することが困難であり、大口径ズームレンズ、イメージサークルが大きな３５ｍｍ判一眼レフに対応する高倍率ズームにおいては、ズーム全域での高性能化が難しいという課題があった。
また、変倍の際、絞りを任意に移動することを特徴としているが、変倍の際に開放Ｆ値が一定になるような絞り径の可変機構が必要な仕様のズームレンズには向かないという課題があった。
【００１２】
特許文献２は、広角端の画角が８０度を越え、ズーム全域で開放Ｆ値が２．９１であるズーム比３倍前後の防振機構を備えた、イメージサークルが大きな３５ｍｍ判一眼レフに対応する大口径ズームレンズを開示している。
【００１３】
特許文献３は、広角端の画角が７０度を越え、ズーム比が１５倍を超えるズームレンズを開示している。
【００１４】
特許文献４は、広角端の画角が７０度を越え、イメージサークルが大きな３５ｍｍ判一眼レフに対応し、ズーム比が１０倍を超える高倍率ズームレンズを開示している。
【００１５】
しかしながら、大口径標準ズームレンズ、ズーム比が１５倍を超える高倍率ズームレンズ、イメージサークルが大きな３５ｍｍ判一眼レフに対応するズーム比が１０倍を超える高倍率ズームレンズ、これら特許文献に開示のズームレンズは、十分な小型化と高性能化を両立させるという課題を有している。
【００１６】
本発明はこのような状況に鑑みてなされたものであり、スチルカメラ、ビデオカメラ等の撮像装置に好適な撮影レンズのうち、ズーム比が１５倍を超える高倍率ズームレンズ、大口径標準ズームレンズ、および広画角を含む標準ズームレンズ、イメージサークルが大きな３５ｍｍ判一眼レフに対応するズーム比が１０倍を超える高倍率ズームレンズに用いられるズームレンズ系であって、特に防振機構とインナーフォーカス機構とを搭載しながら、十分な小型化を実現した、高性能なズームレンズ系及びそれを有する撮像装置を提供することを目的とする。
【課題を解決するための手段】
【００１７】
上記課題を解決するための手段である第１の発明は、物体側から像面側へ順に、正の屈折力を有する第１レンズ群、負の屈折力を有する第２レンズ群、正の屈折力を有する第３レンズ群、負の屈折力を有する第４レンズ群、正の屈折力を有する第５レンズ群、正の屈折力を有する第６レンズ群から成り、広角端から望遠端への変倍に際して前記第１レンズ群と前記第２レンズ群との間隔が大きく、前記第２レンズ群と前記第３レンズ群との間隔が小さく、前記第３レンズ群と前記第４レンズ群との間隔が変化し、前記第４レンズ群と前記第５レンズ群との間隔が変化し、前記第５レンズ群と前記第６レンズ群との間隔が小さくなり、無限遠から近距離物体への合焦に際して、前記第２レンズ群を物体側に移動させ、防振に際して前記第４レンズ群が光軸と略垂直方向に動き、以下に示す条件式（１）乃至（３）を満足することを特徴とするズームレンズ系である。
（１）０．２＜ｆ１／ｆｔ＜３．０
（２）０．１＜ｆ６／ｆｔ＜２．０
（３）０．３＜｜ｆ２／ｆｗ｜＜１．０
ｆ１：前記第１レンズ群の焦点距離
ｆ６：前記第６レンズ群の焦点距離
ｆｔ：ズームレンズ系の望遠端における焦点距離
ｆ２：前記第２レンズ群の焦点距離
ｆｗ：ズームレンズ系の広角端における焦点距離
【００１８】
また第２の発明は、第１の発明であって、さらに広角端から望遠端への変倍に際して、前記第３レンズ群と前記第５レンズ群は同移動量であることを特徴とする。
【００２０】
また第３の発明は、第１乃至２いずれかの発明であって、さらに以下に示す条件式（４）を満足することを特徴とする。
（４）０．３＜｜ｆ３／ｆ４｜＜１．０
ｆ３：前記第３レンズ群の焦点距離
ｆ４：前記第４レンズ群の焦点距離
【００２１】
また第４の発明は、第１乃至３いずれかの発明であって、さらに以下に示す条件式（５）を満足することを特徴とする。
（５）０．１＜｜ｆ４／ｆ５｜＜３．０
ｆ４：前記第４レンズ群の焦点距離
ｆ５：前記第５レンズ群の焦点距離
【００２２】
また第５の発明は、第１乃至４いずれかの発明であって、さらに前記第１レンズ群は、少なくとも２枚の正レンズを有し、下記に記載の屈折率及びアッベ数を持つ正レンズを含むことを特徴とする。
（６）ｎｄ1Ｔａｖｅ＞１．４９
（７）６４＜νｄ１Ｔ
ｎｄ1Ｔａｖｅ：第１レンズ群に含まれる正レンズの屈折率の平均値
νｄ１Ｔ：第１レンズ群に含まれる正レンズの中で最も低分散なレンズのアッベ数
【００２３】
また第６の発明は、第１乃至５いずれかの発明であって、さらに前記第１レンズ群は、少なくとも１枚の負レンズを有し、下記屈折率を持つ負レンズを含むことを特徴とする。
（８）ｎｄ１Ｕ＞１．８０
ｎｄ１Ｕ：第１レンズ群に含まれる負レンズの屈折率
【００２４】
また第７の発明は、第１乃至６いずれかの発明であって、さらに前記第３レンズ群は、少なくとも２枚の正レンズを有し、下記に記載の屈折率及びアッベ数を持つ正レンズを含むことを特徴とする。
（９）ｎｄ３Ｔａｖｅ＜１．７５
（１０）６４＜νｄ３Ｔ
ｎｄ３Ｔａｖｅ：第３レンズ群に含まれる正レンズの屈折率の平均値
νｄ３Ｔ：第３レンズ群に含まれる正レンズの中で最も低分散なレンズのアッベ数
【００２５】
また第８の発明は、第１乃至７いずれかの発明であって、さらに前記第６レンズ群は、少なくとも２枚の正レンズを有し、下記に記載の屈折率及びアッベ数を持つ正レンズを含むことを特徴とする。
（１１）ｎｄ６Ｔａｖｅ＜１．７５
（１２）６４＜νｄ６Ｔ
ｎｄ６Ｔａｖｅ：第６レンズ群に含まれる正レンズの屈折率の平均値
νｄ６Ｔ：第６レンズ群に含まれる正レンズの中で最も低分散なレンズのアッベ数
【００２６】
また第９の発明は、第１乃至８いずれかの発明であって、さらに前記第２レンズ群は、少なくとも２枚の負レンズと１枚の正レンズとを有し、少なくとも１面に非球面を有することを特徴とする。
【００２７】
また第１０の発明は、第１乃至９いずれかの発明であって、さらに前記第６レンズ群は、少なくとも２枚の正レンズと１枚の負レンズとを有し、少なくとも正レンズの１面に非球面を有することを特徴とする。
【００２８】
また第１１の発明は、第１乃至１０いずれかの発明であって、さらに以下の条件式（１３）を満足することを特徴とする。
（１３）８＜ｆ２／β３６ｗ＜２４
β３６ｗ：広角端における前記第３レンズ群から前記第６レンズ群までの合成倍率
【００２９】
また第１２の発明は、第１乃至１１いずれかの発明であって、さらに撮像装置は、ズームレンズを備えたことを特徴とする。
【発明の効果】
【００３０】
本発明によれば、スチルカメラ、ビデオカメラ等の撮像装置に好適な撮影レンズのうち、ズーム比が１５倍を超える高倍率ズームレンズ、大口径標準ズームレンズ、および広画角を含む標準ズームレンズ、イメージサークルが大きな３５ｍｍ判一眼レフに対応するズーム比が１０倍を超える高倍率ズームレンズに用いられるズームレンズ系であって、特に防振機構とインナーフォーカス機構とを搭載しながら、十分な小型化を実現した、高性能なズームレンズ系及びそれを有する撮像装置を提供することができる。
【図面の簡単な説明】
【００３１】
【図１】本発明のズームレンズ系の実施例１に係る無限遠広角端におけるレンズ構成図である。
【図２】実施例１のズームレンズ系の広角端の無限遠における縦収差図である。
【図３】実施例１のズームレンズ系の中間焦点距離６５．０１ｍｍの無限遠における縦収差図である。
【図４】実施例１のズームレンズ系の望遠端の無限遠における縦収差図である。
【図５】実施例１のズームレンズ系の広角端の撮影距離３８０ｍｍにおける縦収差図である。
【図６】実施例１のズームレンズ系の中間焦点距離６５．０１ｍｍの撮影距離３８０ｍｍにおける縦収差図である。
【図７】実施例１のズームレンズ系の望遠端の撮影距離３８０ｍｍにおける縦収差図である。
【図８】実施例１のズームレンズ系の広角端の無限遠における横収差図である。
【図９】実施例１のズームレンズ系の中間焦点距離６５．０１ｍｍの無限遠における横収差図である。
【図１０】実施例１のズームレンズ系の望遠端の無限遠における横収差図である。
【図１１】本発明のズームレンズ系の実施例２に係る無限遠広角端におけるレンズ構成図である。
【図１２】実施例２のズームレンズ系の広角端の無限遠における縦収差図である。
【図１３】実施例２のズームレンズ系の中間焦点距離３６．８０ｍｍの無限遠における縦収差図である。
【図１４】実施例２のズームレンズ系の望遠端の無限遠における縦収差図である。
【図１５】実施例２のズームレンズ系の広角端の撮影距離２２０ｍｍにおける縦収差図である。
【図１６】実施例２のズームレンズ系の中間焦点距離３６．８０ｍｍの撮影距離２２０ｍｍにおける縦収差図である。
【図１７】実施例２のズームレンズ系の望遠端の撮影距離２２０ｍｍにおける縦収差図である。
【図１８】実施例２のズームレンズ系の広角端の無限遠における横収差図である。
【図１９】実施例２のズームレンズ系の中間焦点距離３６．８０ｍｍの無限遠における横収差図である。
【図２０】実施例２のズームレンズ系の望遠端の無限遠における横収差図である。
【図２１】本発明のズームレンズ系の実施例３に係る無限遠広角端におけるレンズ構成図である。
【図２２】実施例３のズームレンズ系の広角端の無限遠における縦収差図である。
【図２３】実施例３のズームレンズ系の中間焦点距離２８．２９ｍｍの無限遠における縦収差図である。
【図２４】実施例３のズームレンズ系の望遠端の無限遠における縦収差図である。
【図２５】実施例３のズームレンズ系の広角端の撮影距離２００ｍｍにおける縦収差図である。
【図２６】実施例３のズームレンズ系の中間焦点距離２８．２９ｍｍの撮影距離２００ｍｍにおける縦収差図である。
【図２７】実施例３のズームレンズ系の望遠端の撮影距離２００ｍｍにおける縦収差図である。
【図２８】実施例３のズームレンズ系の広角端の無限遠における横収差図である。
【図２９】実施例３のズームレンズ系の中間焦点距離２８．２９ｍｍの無限遠における横収差図である。
【図３０】実施例３のズームレンズ系の望遠端の無限遠における横収差図である。
【図３１】本発明のズームレンズ系の実施例４に係る無限遠広角端におけるレンズ構成図である。
【図３２】実施例４のズームレンズ系の広角端の無限遠における縦収差図である。
【図３３】実施例４のズームレンズ系の中間焦点距離１０５．３３ｍｍの無限遠における縦収差図である。
【図３４】実施例４のズームレンズ系の望遠端の無限遠における縦収差図である。
【図３５】実施例４のズームレンズ系の広角端の撮影距離５００ｍｍにおける縦収差図である。
【図３６】実施例４のズームレンズ系の中間焦点距離１０５．３３ｍｍの撮影距離５００ｍｍにおける縦収差図である。
【図３７】実施例４のズームレンズ系の望遠端の撮影距離５００ｍｍにおける縦収差図である。
【図３８】実施例４のズームレンズ系の広角端の無限遠における横収差図である。
【図３９】実施例４のズームレンズ系の中間焦点距離１０５．３３ｍｍの無限遠における横収差図である。
【図４０】実施例４のズームレンズ系の望遠端の無限遠における横収差図である。
【図４１】本発明のズームレンズ系の実施例５に係る無限遠広角端におけるレンズ構成図である。
【図４２】実施例５のズームレンズ系の広角端の無限遠における縦収差図である。
【図４３】実施例５のズームレンズ系の中間焦点距離５０．５１ｍｍの無限遠における縦収差図である。
【図４４】実施例５のズームレンズ系の望遠端の無限遠における縦収差図である。
【図４５】実施例５のズームレンズ系の広角端の撮影距離４５０ｍｍにおける縦収差図である。
【図４６】実施例５のズームレンズ系の中間焦点距離５０．５１ｍｍの撮影距離４５０ｍｍにおける縦収差図である。
【図４７】実施例５のズームレンズ系の望遠端の撮影距離４５０ｍｍにおける縦収差図である。
【図４８】実施例５のズームレンズ系の広角端の無限遠における横収差図である。
【図４９】実施例５のズームレンズ系の中間焦点距離５０．５１ｍｍの無限遠における横収差図である。
【図５０】実施例５のズームレンズ系の望遠端の無限遠における横収差図である。
【図５１】本発明のズームレンズ系の実施例６に係る無限遠広角端におけるレンズ構成図である。
【図５２】実施例６のズームレンズ系の広角端の無限遠における縦収差図である。
【図５３】実施例６のズームレンズ系の中間焦点距離５０．００ｍｍの無限遠における縦収差図である。
【図５４】実施例６のズームレンズ系の望遠端の無限遠における縦収差図である。
【図５５】実施例６のズームレンズ系の広角端の撮影距離３８０ｍｍにおける縦収差図である。
【図５６】実施例６のズームレンズ系の中間焦点距離５０．００ｍｍの撮影距離３８０ｍｍにおける縦収差図である。
【図５７】実施例６のズームレンズ系の望遠端の撮影距離３８０ｍｍにおける縦収差図である。
【図５８】実施例６のズームレンズ系の広角端の無限遠における横収差図である。
【図５９】実施例６のズームレンズ系の中間焦点距離５０．００ｍｍの無限遠における横収差図である。
【図６０】実施例６のズームレンズ系の望遠端の無限遠における横収差図である。
【図６１】本発明のズームレンズ系の実施例７に係る無限遠広角端におけるレンズ構成図である。
【図６２】実施例７のズームレンズ系の広角端の無限遠における縦収差図である。
【図６３】実施例７のズームレンズ系の中間焦点距離５０．００ｍｍの無限遠における縦収差図である。
【図６４】実施例７のズームレンズ系の望遠端の無限遠における縦収差図である。
【図６５】実施例７のズームレンズ系の広角端の撮影距離３８０ｍｍにおける縦収差図である。
【図６６】実施例７のズームレンズ系の中間焦点距離５０．００ｍｍの撮影距離３８０ｍｍにおける縦収差図である。
【図６７】実施例７のズームレンズ系の望遠端の撮影距離３８０ｍｍにおける縦収差図である。
【図６８】実施例７のズームレンズ系の広角端の無限遠における横収差図である。
【図６９】実施例７のズームレンズ系の中間焦点距離５０．００ｍｍの無限遠における横収差図である。
【図７０】実施例７のズームレンズ系の望遠端の無限遠における横収差図である。
【発明を実施するための形態】
【００３２】
本発明のズームレンズ系は、第１の発明として、図１、図１１、図２１、図３１、図４１、図５１及び図６１に示すレンズ構成図からわかるように、物体側から像面側に順に、正の屈折力を有する第１レンズ群、負の屈折力を有する第２レンズ群、正の屈折力を有する第３レンズ群、負の屈折力を有する第４レンズ群、正の屈折力を有する第５レンズ群、正の屈折力を有する第６レンズ群からなり、広角端から望遠端への変倍に際して前記第１レンズ群と前記第２レンズ群との間隔が大きく、前記第２レンズ群と前記第３レンズ群との間隔が小さく、前記第３レンズ群と前記第４レンズ群との間隔が変化し、前記第４レンズ群と前記第５レンズ群との間隔が変化し、前記第５レンズ群と前記第６レンズ群との間隔が小さくなり、防振に際して第４レンズ群が光軸と略垂直方向に動くことを特徴とする構成を備える。
【００３３】
本発明のように、広角端においてレトロフォーカス構成のパワー配置を設定するズームレンズ系において、広角端におけるレンズ全長を小さくするには正の屈折力の第１レンズ群、負の屈折力の第２レンズ群とで構成される負の屈折力を有する前群、正の屈折力の第３レンズ群、負の屈折力の第４レンズ群、正の屈折力の第５レンズ群、正の屈折力の第６レンズ群で構成される正の屈折力を有する後群とのいずれにおいても、屈折力を強く設定しておかなくてはならない。しかしながら、各群の屈折力を強く設定してレンズ全長の短縮を図ろうとすると、広角端でのバックフォーカスが小さくなる傾向にあり、本発明のズームレンズ系はミラーアップ機構を採用する一眼レフシステムの交換レンズとするために適切なバックフォーカスを確保するのが難しくなるという課題がある。
【００３４】
また、レトロフォーカスのパワー配置を持つ広角レンズを小型化するには、先述の後群の屈折力を強く設定するのが一般的であり、後群の屈折力を強く設定することで全長の小型化が図れる。しかし、後群のレンズ全長を短縮すると、後群に配置される開口絞りおよび防振レンズ群を像面側に近付ける必要が生じ、絞りユニット、防振ユニット、並びに電子基板等の電装部品など、広角端において開口絞りよりも像面側に配置することが機構的に有利となる各パーツの配置スペースが不足するといった問題が生じる。したがって、レトロフォーカスで重要な第１レンズ群と第２レンズ群とで構成される負の屈折力を有する前群においては第２レンズ群の焦点距離が、第３レンズ群から第６レンズ群までのレンズ群で構成される正の屈折力を有する後群においては後群の結像倍率が重要となる。更に広角端においては、ズームレンズ系の全長に対して開口絞りを適切な位置に配置しなくてはならないため、レンズ鏡筒の全長をさらに小さくするためには、先述の前群の全長を小さくする必要がある。
【００３５】
以上のことから、後群は、正の屈折力を適度に強く設定する必要がある。そうすると第５レンズ群を正の屈折力と設定するのが良い。さらに、第４レンズ群は防振に用いるために負の屈折力に設定し、広角端で防振レンズ群を像面から離して配置しつつ、バックフォーカスを可能な限り小さくするために第６レンズ群を像面に近づけて配置するには、第４レンズ群と第６レンズ群の間隔を離す必要が生じる。第４レンズ群を負の屈折力にしつつ、広角端で第６レンズ群に入射する軸外光束を小さくするには、第４レンズ群の負の屈折力に応じて、第５レンズ群の正の屈折力を適切に設定する必要がある。
【００３６】
さらに、ズーム全域で高性能化を行うのには、各群のフローティング効果による収差コントロールも重要になる。第４レンズ群のズーム位置を任意に設定することで、球面収差、コマ収差のコントロールが可能であり、第６レンズ群のズーム位置を任意に設定することで、非点収差のコントロールが可能になる。
【００３７】
さらに、広角端のレンズ全長を過度に小さくしようとすると、広角端での性能低下が顕著になる。一方、広角端での性能を求めると変倍時に各群のズーム移動量が大きくなるためズーム機構が複雑化するので鏡筒の外径が大型化する等の課題が生じる。そこで本発明では、広角端の全長の十分な小型化を達成しながら、望遠端での第１レンズ群の移動量を適切に設定することが望ましい。
【００３８】
さらに、鏡筒の外径を小さくするには、絞り径を小さく設定することやズーム移動量が重要である。望遠端において開口絞りを小さくするには、絞りユニットを備える第３レンズ群の移動量を小さく設定すれば良い。望遠端で第２レンズ群と開口絞りユニット、第３レンズ群との間隔を狭くすることで、第３レンズ群の移動量を過度に大きくしないで望遠端の焦点距離を長くする効果がある。そのため、各群の焦点距離を適切に設定し、第２レンズ群の望遠端での結像倍率が等倍を超えない範囲内で、第２レンズ群と第３レンズ群との間隔を最小に設定することで、変倍に伴う第３レンズ群の移動量を小さくすることが出来るので、鏡筒の外径を大きくしないで高倍率化が可能になる。
【００３９】
防振機構を備えたズームレンズ系において、鏡筒外径を小型化するために最も重要なのは、防振レンズのレンズ径およびレンズ重量の削減である。防振レンズのレンズ径を小さくすれば防振ユニットの小型化が図れ、レンズ鏡筒を小型化できる。また、防振レンズの軽量化に伴って、防振レンズを移動するアクチュエータ等の小型化も図ることが出来るため、防振ユニットが小型化され、レンズ鏡筒の小型化に寄与することが出来る。
【００４０】
そこで本発明では、負の屈折力を有する第４レンズ群に防振レンズを配置し、防振レンズのレンズ径を小さくし、防振ユニットの小径化を実現した。また本発明に示す構成では、防振ユニットや電子基板等の電装部品を広角端における開口絞りユニットの位置よりも像面側に配置することができるため、機構的な制約が少なく、レンズ鏡筒の外径を小さくするのに適している。
【００４１】
ここで防振レンズの小型化を実現するための第３レンズ群の屈折力について述べる。そもそも、第３レンズ群は、強い正の屈折力を持たせなくてはならない。これは、フォーカスレンズ群であり強い負の屈折力を有する第２レンズ群から射出される発散光束を効果的に収斂させる役割を担うためである。その上で、防振ユニットを小型化するためには、防振レンズを有する第４レンズ群のレンズ径の小さくしなくてはならない。
【００４２】
さらに第４レンズ群は、負レンズで構成し、適切な手振れ補正効果を得るために十分な防振敏感度を確保する必要があるが、防振時の収差補正を行うことが課題となる。そこで、防振レンズを小型軽量化しながら、防振時の結像性能の低下を抑えるよう、防振レンズを有する第４レンズ群のパワーを適切に設定する必要がある。
【００４３】
また第１の発明であるズームレンズ系は以下の条件式（１）乃至（２）を満足する。
（１）０．２＜ｆ１／ｆｔ＜３．０
（２）０．１＜ｆ６／ｆｔ＜２．０
ｆ１：前記第１レンズ群の焦点距離
ｆ６：前記第６レンズ群の焦点距離
ｆｔ：ズームレンズ系の望遠端における焦点距離
【００４４】
条件式（１）は、ズームレンズ系の望遠端における焦点距離と第１レンズ群の焦点距離の比を規定するための式である。ズームレンズ系の望遠端における焦点距離と第１レンズ群の焦点距離の比を適切にすることで、望遠端での小型化と高性能化の両立を実現する。
【００４５】
条件式（１）の下限を超え第１レンズ群の屈折力が大きくなると、望遠端での小型化には有利となるが、第１レンズ群で発生する球面収差、コマ収差、色収差の十分な補正が困難になる。
【００４６】
条件式（１）の上限を超え第１レンズ群の屈折力が小さくなると、広角端から望遠端までの第１レンズ群のズーム移動量が大きくなるので、レンズ鏡筒の内部機構が複雑化し、レンズ鏡筒の外径が拡大する等の問題が生じる。
【００４７】
なお、上述した条件式（１）について、その下限値をさらに０．３に、また、上限値をさらに２．０とすることで、前述の効果をより確実にすることができる。
【００４８】
条件式（２）は、ズームレンズ系の望遠端における焦点距離と第６レンズ群の焦点距離の比を規定するための式である。
【００４９】
条件式（２）の下限を超え第６レンズ群の屈折力が大きくなると、像面湾曲の抑制が困難になり、さらに第６レンズ群の製造誤差敏感度が高くなり生産性が悪化する問題がある。
【００５０】
条件式（２）の上限を超え第６レンズ群の屈折力が小さくなると、高いズーム比を確保するのが困難になる。
【００５１】
なお、上述した条件式（２）について、その下限値をさらに０．２に、また、上限値をさらに１．４とすることで、前述の効果をより確実にすることができる。
【００５２】
また、第２の発明であるズームレンズ系は、第１の発明であってさらに、広角端から望遠端への変倍に際して前記第３レンズ群、第５レンズ群は同移動量である。
【００５３】
正の屈折力を有する第３レンズ群と第５レンズ群を同移動量とすることで、構造的に簡易な構成にすることが出来る。第３レンズ群と第５レンズ群を同移動量としても、負の屈折力を有する第４レンズ群のズーム位置を任意に設定することで、球面収差、コマ収差のコントロールが可能であり、ズーム全域での高性能化が容易になる。
【００５４】
また、第３の発明であるズームレンズ系は、第１乃至２の発明であって、さらに無限遠から近距離物体への合焦に際して、前記第２レンズ群を物体側に移動させ、以下に示す条件式（３）を満足する。
（３）０．３＜｜ｆ２／ｆｗ｜＜１．０
ｆ２：前記第２レンズ群の焦点距離
ｆｗ：ズームレンズ系の広角端における焦点距離
【００５５】
条件式（３）は、第２レンズ群の焦点距離とズームレンズ系の広角端における焦点距離との比を規定する条件式である。条件式（３）を満たすことで、広角端においてズームレンズ系のレンズ全長を小型化し、負の屈折力を有する第２レンズ群の焦点距離を適切に設定することが可能となり、高性能化に寄与する。
【００５６】
条件式（３）の下限を超え、第２レンズ群の負の屈折力が強くなると、第２レンズ群内の負レンズの曲率が強くなる傾向にあり、非点収差、コマ収差の補正が困難になる。そして、第２レンズ群の負の焦点距離が短くなると、第２レンズ群からの発散光束を第３レンズ群で適切に収束させる必要があるので、第３レンズ群の焦点距離も同時に強くする必要があるので、球面収差の補正も困難になる。
【００５７】
条件式（３）の上限を超え、第２レンズ群の負の屈折力が弱くなると、至近時のフォーカス移動量が増加し、広角端での第１レンズ群と第２レンズ群の間隔を大きくせねばならず、十分な周辺光量を確保するためには、第１レンズ群の外径が大きくなり、フィルターサイズの大型化を招く。
【００５８】
なお、上述した条件式（３）について、その下限値をさらに０．５に、また、上限値をさらに０．８とすることで、前述の効果をより確実にすることができる。
【００５９】
また、第４の発明であるズームレンズ系は、第１乃至３いずれかの発明であって、さらに以下に示す条件式（４）を満足することを特徴とする。
（４）０．３＜｜ｆ３／ｆ４｜＜１．０
ｆ３：前記第３レンズ群の焦点距離
ｆ４：前記第４レンズ群の焦点距離
【００６０】
条件式（４）は、第３レンズ群の焦点距離と第４レンズ群の焦点距離との比を規定する条件式である。条件式（４）を満たすことで、高性能化に寄与する。
【００６１】
条件式（４）の下限を超えて、第３レンズ群の正の屈折力が強くなるか、第４レンズ群（防振レンズ群）の屈折力が弱くなるかの何れかの条件となるが、第３レンズ群の正の屈折力が強くなりすぎると、第３レンズ群で発生するコマ収差の補正が困難になるという問題がある。また、第４レンズ群（防振レンズ群）の屈折力が弱くなると防振時に十分な防振効果が得られないという問題がある。
【００６２】
条件式（４）の上限を超えて、第３レンズ群の正の屈折力が弱くなるか、第４レンズ群の屈折力が強くなるかの何れかの条件となるが、第３レンズ群の正の屈折力が弱くなりすぎると、第２レンズ群による強い負の屈折力による発散光束を適切に収束させることが出来ないので、第４レンズ群に入る光束が高くなり、防振レンズの小型軽量化が適切にできない。また第４レンズ群の屈折力が強くなり過ぎると、防振レンズを光軸と略垂直方向に移動させて防振を行ったときに、偏芯コマ収差、非点収差が発生して結像性能を低下させる問題がある。
【００６３】
なお、上述した条件式（４）について、その下限値をさらに０．４に、また、上限値をさらに０．８とすることで、前述の効果をより確実にすることができる。
【００６４】
また、第５の発明であるズームレンズ系は、第１乃至４いずれかの発明であって、さらに以下に示す条件式（５）を満足することを特徴とする。
（５）０．１＜｜ｆ４／ｆ５｜＜３．０
ｆ４：前記第４レンズ群の焦点距離
ｆ５：前記第５レンズ群の焦点距離
【００６５】
条件式（５）は、第４レンズ群（防振レンズ群）と第５レンズ群との焦点距離の比を規定する式である。条件式（５）を満たすことで、第５レンズ群の焦点距離を適切に設定され、第５レンズ群において適切にコマ収差をコントロールすることが可能となり、高性能化に寄与する。
【００６６】
条件式（５）の下限を超えて、第４レンズ群（防振レンズ群）の負の屈折力に対して、第５レンズ群の正屈折力が弱くなると、第６レンズ群に入射する光束が高くなり、第６レンズ群の大型化を招き、さらに第６レンズ群の屈折力を強くする必要があるので、第６レンズ群の製造誤差敏感度が高くなり生産性を悪化させる問題がある。
【００６７】
条件式（５）の上限を超えて、第４レンズ群（防振レンズ群）の負の屈折力に対して、第５レンズ群の正の屈折力が強くなると、第５レンズ群で発生する正成分のコマ収差が過剰に発生するという問題がある。
【００６８】
なお、上述した条件式（５）について、その下限値をさらに０．２に、また、上限値をさらに２．２とすることで、前述の効果をより確実にすることができる。
【００６９】
このように第１レンズ群から第６レンズ群までの屈折力を適切に設定することで、広角から望遠までを含む超高倍率ズームレンズ、大口径標準ズームレンズ等、様々な仕様のレンズにおいて、ズーム全域において、高性能で小型なズームレンズを提供することが出来る。
【００７０】
また、第６の発明であるズームレンズ系は、第１乃至５いずれかの発明であって、さらに前記第１レンズ群は、少なくとも２枚の正レンズを有し、下記に記載の屈折率及びアッベ数を持つ正レンズを含む。
（６）ｎｄ１Ｔａｖｅ＞１．４９
（７）６４＜νｄ１Ｔ
ｎｄ１Ｔａｖｅ：第１レンズ群に含まれる正レンズの屈折率の平均値
νｄ１Ｔ：第１レンズ群に含まれる正レンズの中で最も低分散なレンズのアッベ数
【００７１】
条件式（６）は、第１レンズ群に含まれる正レンズの屈折率の平均値の範囲を規定するための式である。条件式（６）を満たすことで、広角端から望遠端への変倍に際して発生する球面収差やコマ収差、非点収差の変動を抑えることで高性能化に寄与する。
【００７２】
条件式（６）の下限値を超える場合、色収差の補正には有利な硝種を利用可能であるが、球面収差や像面湾曲の変倍時の変動を抑えることが困難となり、高い光学性能を実現できない。
【００７３】
なお、上述した条件式（６）について、その下限値をさらに１．５１に、また、上限値をさらに１．７５とすることで、前述の効果をより確実にすることができる。
【００７４】
条件式（７）は、第１レンズ群に含まれる正レンズのアッベ数の範囲を規定する式である。条件式（７）を満たすことで、広角端から望遠端への変倍に際して発生する色収差変動を抑え、高性能化に寄与する。
【００７５】
条件式（７）の下限値を超える場合、特に望遠域での軸上色収差や倍率色収差の変動を抑えることが困難となり、また、材質の異常分散性が小さくなり２次スペクトルを抑えることも困難になるので、高い光学性能を実現できない。
【００７６】
なお、上述した条件式（７）について、その下限値をさらに６８にすることで、前述の効果をより確実にすることができる。
【００７７】
また、第７の発明であるズームレンズ系は、第１乃至６いずれかの発明であって、さらに前記第１レンズ群は、少なくとも１枚の負レンズを有し、下記屈折率を持つ負レンズを含む。
（８）ｎｄ１Ｕ＞１．８０
ｎｄ１Ｕ：第１レンズ群に含まれる負レンズの屈折率。
【００７８】
条件式（８）は、第１レンズ群に含まれる負レンズの屈折率の範囲を規定する式である。条件式（８）を満たすことで、十分に色収差を補正しつつ、第１レンズ群の薄型化を実現し、小型化に寄与する。
【００７９】
条件式（８）の下限値を超える場合、負レンズ、正レンズの曲率が大きくなるので、第１レンズ群のレンズ厚が大きくなり、特に入射角の大きい広角域において第１レンズ群を通過する軸外光束を高く設定必要があるので、フィルター径の大型化を招く。
【００８０】
なお、上述した条件式（８）について、その下限値をさらに１．８４に、また、上限値をさら１．９３とすることで、前述の効果をより確実にすることができる。
【００８１】
また、第８の発明であるズームレンズ系は、第１乃至７いずれかの発明であって、さらに前記第３レンズ群は、少なくとも２枚の正レンズを有し、下記に記載の屈折率及びアッベ数を持つ正レンズを含む。
（９）ｎｄ３Ｔａｖｅ＜１．７５
（１０）６４＜νｄ３Ｔ
ｎｄ３Ｔａｖｅ：第３レンズ群に含まれる正レンズの屈折率の平均値
νｄ３Ｔ：第３レンズ群に含まれる正レンズの中で最も低分散なレンズのアッベ数
【００８２】
条件式（９）は、第３レンズ群に含まれる正レンズの屈折率の平均値の範囲を規定する式である。条件式（９）を満たすことで、広角端から望遠端への変倍に際して発生する球面収差の変動を抑えつつ、色収差に有利な硝種を選ぶことで、高性能化に寄与する。
【００８３】
条件式（９）の上限値を超える場合、球面収差の補正には有利な硝種を利用可能であるが、軸上色収差の変動を抑えることが困難となり、高い光学性能を実現できない。
【００８４】
なお、上述した条件式（９）について、その下限値をさらに１．４３に、また、上限値をさらに１．７３とすることで、前述の効果をより確実にすることができる。
【００８５】
条件式（１０）は、第３レンズ群に含まれる正レンズのアッベ数の範囲を規定する式である。条件式（１０）を満たすことで、広角端から望遠端への変倍に際して発生する軸上色収差変動や色の球面収差変動を抑え、高性能化に寄与する。
【００８６】
条件式（１０）の下限値を超える場合、軸上色収差の変動を抑えることが困難となり、また、材質の異常分散性が小さくなり２次スペクトルを抑えることも困難になるので、特に望遠端において高い光学性能を実現できない。
【００８７】
なお、上述した条件式（１０）について、その下限値をさらに６８にすることで、前述の効果をより確実にすることができる。
【００８８】
また、第９の発明であるズームレンズ系は、第１乃至８いずれかの発明であって、さらに前記第６レンズ群は、少なくとも２枚の正レンズを有し、下記アッベ数を持つ正レンズを含む。
（１１）ｎｄ６Ｔａｖｅ＜１．７５
（１２）６４＜νｄ６Ｔ
ｎｄ６Ｔａｖｅ：第６レンズ群に含まれる正レンズの屈折率の平均値
νｄ６Ｔ：第６レンズ群に含まれる正レンズの中で最も低分散なレンズのアッベ数
【００８９】
条件式（１１）は、第６レンズ群に含まれる正レンズの屈折率の平均値の範囲を規定する式である。条件式（１１）を満たすことで、広角端から望遠端への変倍に際して発生する球面収差やコマ収差、非点収差の変動を抑えつつ、色収差に有利な硝種を選ぶことで、高性能化に寄与する。
【００９０】
条件式（１１）の下限値を超える場合、球面収差やコマ収差、非点収差の補正には有利な硝種を利用可能であるが、倍率色収差の変倍時の変動を抑えることが困難となり、高い光学性能を実現できない。
【００９１】
なお、上述した条件式（１１）について、その下限値をさらに１．４３に、また、上限値をさらに１．６３とすることで、前述の効果をより確実にすることができる。
【００９２】
条件式（１２）は、第６レンズ群に含まれる正レンズのアッベ数の範囲を規定する式である。広角端から望遠端への変倍に際して発生する倍率色収差変動を抑えて高性能化に寄与する。
【００９３】
条件式（１２）の下限値を超える場合、倍率色収差変動を抑えることが困難となり、また、材質の異常分散性が小さくなり２次スペクトルを抑えることも困難になるので、特に広角端において高い光学性能を実現できない。
【００９４】
なお、上述した条件式（１２）について、その下限値をさらに６８にすることで、前述の効果をより確実にすることができる。
【００９５】
また、第１０の発明であるズームレンズ系は、第１乃至９いずれかの発明であって、さらに前記第２レンズ群は、少なくとも２枚の負レンズと１枚の正レンズとを有し、少なくとも負レンズの１面に非球面を有する。
【００９６】
広角域から望遠域までカバーするズームレンズにおいては、広角端でレトロフォーカスのパワー配置をとる必要があるので、前群の負パワーを強くし、第２レンズ群のパワーを適切に設定する必要がある。さらに第２レンズ群は、広角端において、軸外光束を画角全域でレンズ周辺部まで光線を通す必要があるので、非点収差、コマ収差等の様々な収差を適切に補正する必要がある。そして第２レンズ群は、フォーカスにも用いるので、フォーカシング時の球面収差、コマ収差、非点収差の変動を抑える必要がある。そこで、第２レンズ群内には非球面レンズを効果的に配置し、高度な収差補正を行うことが重要となる。
【００９７】
また、第１１の発明であるズームレンズ系は、第１乃至１０いずれかの発明であって、さらに前記第６レンズ群は、少なくとも２枚の正レンズと１枚の負レンズとを有し、少なくとも正レンズの１面に非球面を有する。
【００９８】
広角域から望遠域までカバーするズームレンズにおいては、広角端でレトロフォーカスのパワー配置をとる必要があるので、後群の正パワーの一部を司る、第６レンズ群のパワーを適切に設定する必要がある。さらに第６レンズ群は、広角端から望遠端までズーム全域において、軸上光束から軸外光束までの画角全域でレンズ周辺部まで光線を通す必要があるので、球面収差、非点収差、コマ収差、色収差等の様々な収差を適切に補正する必要がある。そこで、第６レンズには適切に非球面レンズを効果的に配置し、高度な収差補正を行うことが重要となる。
【００９９】
また、第１２の発明であるズームレンズ系は、第１乃至１１いずれかの発明であって、さらに以下の条件式（１３）を満足することを特徴とする。
（１３）８＜ｆ２／β３６ｗ＜２４
β３６ｗ：広角端における前記第３レンズ群から前記第６レンズ群までの合成倍率
【０１００】
条件式（１３）は、先述の事情を鑑み、第２レンズ群の焦点距離と広角端での第３レンズ群から第６レンズ群までの合成倍率との比を規定する条件式である。
【０１０１】
条件式（１３）の下限を超えて、第２レンズ群の焦点距離が短くなると、広角端での非点収差の補正が困難になること、フォーカシングによる非点収差の収差補正が困難になることが課題となる。また、第２レンズ群にはより高屈折率な硝材を用いる必要が生じるので、広角端における倍率色収差の補正が不十分となる。一方、広角端での第３レンズ群から第６レンズ群との合成倍率が大きくなると、第１レンズ群と第２レンズ群の合成系で負の屈折力を強くしなくてはならないので、レトロフォーカス傾向がより強まるパワー配置となり、広角端における歪曲収差の補正が困難になる。
【０１０２】
条件式（１３）の上限を超えて、第２レンズ群の焦点距離が長くなると、第２レンズ群のフォーカス移動量が大きくなるので、広角端での第１レンズ群と第２レンズ群との間隔が狭くなり、フォーカス時のスペース確保が困難になる。また、広角端における第３レンズ群から第６レンズ群までの合成の結像倍率が小さくなると、ズーム移動時に第２レンズ群がスムーズに移動する軌跡を描くことが出来なくなり、スムーズなズームカムとフォーカスカムの作成が出来なくなる。
【０１０３】
なお、上述した条件式（１３）について、その下限値をさらに１２に、また、上限値をさらに２１とすることで、前述の効果をより確実にすることができる。
【０１０４】
また、第１３の発明である撮像装置は、第１乃至第１２いずれかの発明であるズームレンズ系を有することを特徴とする。
【０１０５】
次に、本発明のズームレンズ系に係る実施例のレンズ構成について説明する。尚、以下の説明ではレンズ構成を物体側から像面側の順で記載する。
【０１０６】
以下に、前述した本発明のズームレンズの各実施例の具体的な数値データを示す
【０１０７】
［面データ］において、面番号は物体側から数えたレンズ面又は開口絞りの番号、ｒは各面の曲率半径、ｄは各面の間隔、ｎｄはｄ線（波長５８７．５６ｎｍ）に対する屈折率、ｖｄはｄ線に対するアッベ数を示している。
【０１０８】
面番号に付した＊（アスタリスク）は、そのレンズ面形状が非球面であることを示している。また、ＢＦはバックフォーカスを表している。
【０１０９】
面番号に付した（絞り）は、その位置に開口絞りＳが位置していることを示している。
平面又は開口絞りＳに対する曲率半径には∞（無限大）を記入している。
【０１１０】
［非球面データ］には、［面データ］において＊を付したレンズ面の非球面形状を与え
る各係数値を示している。非球面の形状は、非球面の形状は、光軸に直行する方向への光
軸からの変位をｙ、非球面と光軸の交点から光軸方向への変位（サグ量）をＺ、基準球面
の曲率半径をｒ、コーニック係数をＫ、４、６、８、１０、次の非球面係数をそれぞれＡ４、Ａ６、Ａ８、Ａ１０と置くとき、非球面の座標が以下の式で表されるものとする。
0006350096.tif 000002
【０１１１】
［各種データ］には、ズーム比及び各焦点距離状態における焦点距離等の値を示している。
【０１１２】
［可変間隔データ］には、各焦点距離状態における可変間隔及びＢＦ（バックフォーカス）の値を示している。
【０１１３】
［レンズ群データ］には、各レンズ群を構成する最も物体側の面番号及び群全体の合成焦点距離を示している。
【０１１４】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【０１１５】
また、各実施例に対応する収差図において、ｄ、ｇ、Ｃはそれぞれｄ線、ｇ線、Ｃ線を表しており、△Ｓ、△Ｍはそれぞれサジタル像面、メリジオナル像面を表している。
【０１１６】
さらに、図１、図１１、図２１、図３１、図４１、図５１及び図６１に示すレンズ構成図において、矢印は広角端から望遠端への変倍に際してのレンズ群の軌跡、Ｉは像面、中心を通る一点鎖線は光軸である。
【実施例１】
【０１１７】
図１は、本発明の実施例１のズームレンズ系のレンズ構成図である。全体として正の屈折力を有する第１レンズ群Ｇ１は、物体側に凸面を向けた負メニスカスレンズＬ１と両凸レンズＬ２から成る正の屈折力を有する接合レンズ、物体側に凸面を向けた正メニスカスレンズＬ３、から構成される。
【０１１８】
全体として負の屈折力を有する第２レンズ群Ｇ２は、物体側に非球面樹脂を接合した凸面を向けた負メニスカスレンズＬ４、両凹レンズＬ５、両凸レンズＬ６、両凹レンズＬ７、から構成される。
【０１１９】
全体として正の屈折力を有するＧ３は、開口絞りＳ、両凸レンズＬ８、両凸レンズＬ９と物体側に凹面を向けた負メニスカスレンズＬ１０から成る正の屈折力を有する接合レンズ、から構成される。
【０１２０】
全体として負の屈折力を有する第４レンズ群Ｇ４は、物体側の面に非球面を用いた両凹レンズＬ１１と物体側に凸面を向けた正メニスカスレンズＬ１２から成る負の屈折力を有する接合レンズ、から構成される。第４レンズ群Ｇ４を光軸と略垂直方向に動かすことにより防振を行っている。
【０１２１】
全体として正の屈折力を有する第５レンズ群Ｇ５は、正の屈折力を有する正メニスカスレンズＬ１３から構成される。
【０１２２】
全体として正の屈折力を有する第６レンズ群Ｇ６は、両面に非球面を用いた両凸レンズＬ１４、両凸レンズＬ１５と両凹レンズＬ１６から成る負の屈折力を有する接合レンズ、物体側に凹面を向けた正メニスカスレンズＬ１７、から構成される。
【０１２３】
また、実施例１のズームレンズ系は、広角端から望遠端への変倍に際して、第１レンズ群Ｇ１と第２レンズ群Ｇ２の間隔は大きくなり、第２レンズ群Ｇ２と第３レンズ群Ｇ３との間隔は小さくなり、第３レンズ群Ｇ３と第４レンズ群Ｇ４と第５レンズ群Ｇ５の間隔はそれぞれ変化し、第５レンズ群Ｇ５と第６レンズ群Ｇ６の間隔は小さくなり、第３レンズ群Ｇ３と第５レンズ群Ｇ５の移動量は同じであり、無限遠から近距離物体へのフォーカシングに際して、第２レンズ群Ｇ２を物体側に移動させる。
【０１２４】
続いて、以下に実施例１に係るズームレンズ系の諸元値を示す。
数値実施例1
単位：mm
[面データ]
面番号                r              d             nd             vd
物面                  ∞           (d0)
1             125.6120         1.5500       1.910823          35.25
2              68.0640         8.2080       1.437001          95.10
3            -434.2770         0.1500
4              65.8690         6.0900       1.592824          68.62
5             489.1580           (d5)
6*              50.8820         0.1000       1.518400          52.10
7              48.9810         0.9000       1.883000          40.80
8              14.9020         6.7670
9             -32.6410         0.7500       1.772500          49.62
10              68.1350         0.1500
11              30.2940         4.7370       1.846664          23.78
12             -39.3820         0.7660
13             -25.1190         0.7500       1.772500          49.62
14             165.6940          (d14)
15(絞り)                ∞         0.8000
16              36.2170         3.3120       1.548140          45.82
17             -49.9020         0.1500
18              26.9860         4.1000       1.437001          95.10
19             -43.1340         0.7500       1.945945          17.98
20            -172.9670          (d20)
21*            -42.1870         1.0000       1.592014          67.02
22              30.1340         1.4060       1.805181         25.46
23              49.1310         (ｄ23)
24              32.4610         1.7580       1.437001          95.10
25              72.4500         (ｄ25)
26*             59.2780         3.0190       1.592014          67.02
27*            -42.3410         0.1500
28             102.2770         3.3490       1.437001          95.10
29             -33.2580         0.8000       1.772500          49.62
30              45.1130         1.5120
31            -148.2220         2.6190       1.517420          52.15
32             -31.7680           (BF)
像面                  ∞
[非球面データ]
6面           21面           26面           27面
K               0.00000        0.00000        0.00000        0.00000
A4           3.03170E-06    5.08010E-06   -1.31230E-05    1.08310E-05
A6           5.68360E-09    1.96030E-08   -6.33460E-08   -4.03880E-08
A8          -1.14830E-10   -1.11790E-11   -1.92970E-10   -3.46570E-10
A10          5.05470E-13    0.00000E+00    6.56030E-12    7.13010E-12
[各種データ]
ズーム比             15.47
広角           中間           望遠
焦点距離             18.68          65.01         289.02
Fナンバー             3.60           5.24           6.51
全画角2ω            76.04          23.72           5.52
像高Y              14.20          14.20          14.20
レンズ全長           144.42         188.07         230.67
[可変間隔データ]
広角           中間           望遠
d0                   ∞             ∞             ∞
d5               2.5500        37.4530        71.3870
d14             33.6210        15.3150         2.0240
d20              3.4990         4.8720         4.8570
d23              3.0940         1.7210         1.7360
d25              7.7000         2.7660         0.7800
BF               38.315         70.300         94.242
d0             235.5778       191.9297       149.3311
d5               1.2698        34.3718        58.7569
d14             34.9012        18.3962        14.6541
d20              3.4990         4.8720         4.8570
d23              3.0940         1.7210         1.7360
d25              7.7000         2.7660         0.7800
BF              38.3153        70.3004        94.2422
[レンズ群データ]
群            始面            焦点距離
G1              1               109.86
G2              6               -14.32
G3             15                27.82
G4             21               -42.52
G5             24               132.80
G6             26                68.03
【実施例２】
【０１２５】
図１１は、本発明の実施例２のズームレンズ系のレンズ構成図である。正の屈折力を有する第１レンズ群Ｇ１は、物体側に凸面を向けた負メニスカスレンズＬ１と物体側に凸面を向けた正メニスカスレンズＬ２から成る正の屈折力を有する接合レンズ、物体側に凸面を向けた正メニスカスレンズＬ３、から構成される。
【０１２６】
負の屈折力を有する第２レンズ群Ｇ２は、物体側に非球面樹脂を接合した凸面を向けた負メニスカスレンズＬ４、両凹レンズＬ５、両凸レンズＬ６、物体側に凹面を向けた負メニスカスレンズＬ７、から構成される。
【０１２７】
正の屈折力を有する第３レンズ群Ｇ３は、開口絞りＳ、両凸レンズＬ８、両凸レンズＬ９と両凹レンズＬ１０から成る負の屈折力を有する接合レンズ、から構成される。
【０１２８】
第４レンズ群Ｇ４は、物体側の面に非球面を用いた負の屈折力を有する両凹レンズＬ１１から構成される。第４レンズ群Ｇ４を光軸と略垂直方向に動かすことにより防振を行っている。
【０１２９】
第５レンズ群Ｇ５は、物体側に凸面を向けた正の屈折力を有する平凸レンズＬ１２で構成される。
【０１３０】
正の屈折力を有する第６レンズ群Ｇ６は、両面に非球面を用いた両凸レンズＬ１３、物体側に平面を向けた平凹レンズＬ１４、物体側に凹面を向けた正メニスカスレンズＬ１５、から構成される。
【０１３１】
また、実施例２のズームレンズ系は、広角端から望遠端への変倍に際して、第１レンズ群Ｇ１と第２レンズ群Ｇ２の間隔は大きくなり、第２レンズ群Ｇ２と第３レンズ群Ｇ３との間隔は小さくなり、第３レンズ群Ｇ３と第４レンズ群Ｇ４と第５レンズ群Ｇ５の間隔はそれぞれ変化し、第５レンズ群Ｇ５と第６レンズ群Ｇ６の間隔は小さくなり、第３レンズ群Ｇ３と第５レンズ群Ｇ５の移動量は同じであり、無限遠から近距離物体へのフォーカシングに際して、第２レンズ群Ｇ２を物体側に移動させる。
【０１３２】
続いて、以下に実施例２に係るズームレンズ系の諸元値を示す。
数値実施例2
単位：mm
[面データ]
面番号                r              d             nd             vd
物面                  ∞           (d0)
1             134.3030         1.6000       1.846664          23.78
2              58.4840         6.5530       1.592824          68.62
3             334.8110         0.1500
4              54.6460         5.1130       1.883000          40.80
5             160.5000           (d5)
6*              86.7310         0.1300       1.518400          52.10
7              59.6900         1.0000       1.883000          40.80
8              13.3530         6.0660
9             -38.9070         0.9000       1.883000          40.80
10              36.4590         0.6060
11              27.6850         5.7990       1.846664          23.78
12             -27.9940         0.6410
13             -20.3300         0.9000       1.772500          49.62
14            -149.6180          (d14)
15(絞り)                ∞         1.0000
16              36.1410         3.3040       1.834001          37.34
17             -47.6150         0.4260
18              27.4300         4.1950       1.437001          95.10
19             -24.3660         0.8000       2.001003          29.13
20              36.6750          (d20)
21*            -60.5000         0.9000       1.592014          67.02
22             300.7490          (d22)
23              34.0460         2.2700       1.806100          33.27
24                   ∞          (d24)
25*             40.4280         4.3230       1.592014          67.02
26*            -37.7870         0.1500
27                   ∞         1.0000       1.953748          32.32
28              37.8300         2.1800
29             -84.7570         4.5000       1.437001          95.10
30             -17.9880           (BF)
像面                  ∞
[非球面データ]
6面           21面           25面           26面
K               0.00000        0.00000        0.00000        0.00000
A4           1.36586E-05    3.48097E-06   -2.21284E-05    2.73360E-05
A6           1.08769E-08    1.11677E-08   -6.34002E-09   -3.67544E-08
A8          -1.96416E-10   -2.94313E-10   -4.79599E-10   -5.01840E-10
A10          8.23388E-13    0.00000E+00    0.00000E+00    0.00000E+00
[各種データ]
ズーム比              3.83
広角           中間           望遠
焦点距離             17.61          36.80          67.48
Fナンバー             2.93           3.56           4.12
全画角2ω            79.75          41.82          23.42
像高Y              14.20          14.20          14.20
レンズ全長           123.86         141.17         163.74
[可変間隔データ]
広角           中間           望遠
d0                   ∞             ∞             ∞
d5               3.7000        18.5420        34.7360
d14             17.2810         5.7230         1.6000
d20              2.4040         2.4560         3.5850
d22              1.8810         1.8290         0.7000
d24              5.5910         1.9340         0.7000
BF               38.497         56.181         67.909
d0              96.1400        78.8293        56.2645
d5               3.2469        15.1161        29.2885
d14             19.6384         9.1489         7.0475
d20              2.4040         2.4560         3.5850
d22              1.8810         1.8290         0.7000
d24              5.5910         1.9340         0.7000
BF              38.4968        56.1806        67.9086
[レンズ群データ]
群            始面            焦点距離
G1              1                90.96
G2              6               -12.95
G3             15                63.07
G4             21               -85.00
G5             23                42.24
G6             25                42.31
【実施例３】
【０１３３】
図２１は、本発明の実施例３のズームレンズ系のレンズ構成図である。正の屈折力を有する第１レンズ群Ｇ１は、物体側に凸面を向けた負メニスカスレンズＬ１と物体側に凸面を向けた正メニスカスレンズＬ２から成る正の屈折力を有する接合レンズ、物体側に凸面を向けた正メニスカスレンズＬ３、から構成される。
【０１３４】
負の屈折力を有する第２レンズ群Ｇ２は、物体側に非球面樹脂を接合した凸面を向けた負メニスカスレンズＬ４、両凹レンズＬ５、両凸レンズＬ６、物体側に凹面を向けた負メニスカスレンズＬ７、から構成される。
【０１３５】
正の屈折力を有する第３レンズ群Ｇ３は、開口絞りＳ、両凸レンズＬ８、両凸レンズＬ９と物体側に凹面を向けた負メニスカスレンズＬ１０から成る負の屈折力を有する接合レンズ、から構成される。
【０１３６】
第４レンズ群Ｇ４は、物体側の面に非球面を用いた両凹レンズＬ１１と物体側に凸面を持つ正メニスカスレンズＬ１２から成る負の屈折力を有する接合レンズから構成される。第４レンズ群Ｇ４を光軸と略垂直方向に動かすことにより防振を行っている。
【０１３７】
第５レンズ群Ｇ５は、物体側に凸面を向けた正の屈折力を有する正メニスカスレンズＬ１３で構成される。
【０１３８】
正の屈折力を有する第６レンズ群Ｇ６は、両面に非球面を用いた両凸レンズＬ１４、両凹レンズＬ１５と両凸レンズＬ１６から成る負の屈折力を有する接合レンズ、物体側に凹面を向けた正メニスカスレンズＬ１７、から構成される。
【０１３９】
また、実施例３のズームレンズ系は、広角端から望遠端への変倍に際して、第１レンズ群Ｇ１と第２レンズ群Ｇ２の間隔は大きくなり、第２レンズ群Ｇ２と第３レンズ群Ｇ３との間隔は小さくなり、第３レンズ群Ｇ３と第４レンズ群Ｇ４と第５レンズ群Ｇ５の間隔はそれぞれ変化し、第５レンズ群Ｇ５と第６レンズ群Ｇ６の間隔は小さくなり、第３レンズ群Ｇ３と第５レンズ群Ｇ５の移動量は同じであり、無限遠から近距離物体へのフォーカシングに際して、第２レンズ群Ｇ２を物体側に移動させる。
【０１４０】
続いて、以下に実施例３に係るズームレンズ系の諸元値を示す。
数値実施例3
単位：mm
[面データ]
面番号                r              d             nd             vd
物面                  ∞           (d0)
1             126.1060         1.5500       1.846664          23.78
2              56.5940         8.0030       1.592824          68.62
3             464.4520         0.1500
4              55.4910         5.5900       1.883000          40.80
5             160.7100           (d5)
6*              82.3920         0.1000       1.518400          52.10
7              60.6180         1.3500       1.772500          49.62
8              13.6010         6.5950
9             -39.1540         0.9000       1.883000          40.80
10              52.8570         0.5170
11              30.4550         4.8840       1.846664          23.78
12             -41.1140         0.8760
13             -22.0960         0.9000       1.729160          54.67
14            -590.6330          (d14)
15(絞り)                ∞         1.6050
16              74.2850         3.3170       1.883000          40.80
17             -38.8110         0.1500
18             130.7800         4.3990       1.437001          95.10
19             -22.5020         1.0000       2.001003          29.13
20            -103.8610          (d20)
21*            -60.3030         1.0000       1.696802          55.46
22              62.3280         1.6530       2.001003          29.13
23             172.9530         (ｄ23)
24              29.1670         2.7750       1.617998          63.39
25             108.8120         (ｄ25)
26*             80.0000         3.2470       1.592014          67.02
27             -53.0730         0.1878
28            -131.0180         0.9000       1.953748          32.32
29              43.5730         6.0900       1.437001          95.10
30             -40.6350         0.1500
31            -230.4940         2.5470       1.834806          42.72
32             -54.6870           (BF)
像面                  ∞
[非球面データ]
6面           21面           26面
K               0.00000        0.00000        0.00000
A4           1.09887E-05    8.39196E-07   -1.95309E-05
A6          -2.33507E-09   -8.50952E-09    6.79503E-10
A8          -6.16453E-11    2.59552E-10   -4.50610E-11
A10          3.51872E-13   -8.61120E-13    0.00000E+00
[各種データ]
ズーム比              2.59
広角           中間           望遠
焦点距離             18.65          28.29          48.30
Fナンバー             2.92           2.93           2.92
全画角2ω            76.15          53.06          32.43
像高Y              14.20          14.20          14.20
レンズ全長           134.79         142.43         157.79
[可変間隔データ]
広角           中間           望遠
d0                   ∞             ∞             ∞
d5               3.9000        12.0110        25.4220
d14             16.2950         9.2300         2.4460
d20              1.2590         3.4470         1.5000
d23              3.6880         1.5000         3.4470
d25             10.7110         7.6710         5.5300
BF               38.499         48.139         59.004
d0             115.2127       107.5660        92.2150
d5               1.6636         9.2386        21.2698
d14             18.5314        12.0024         6.5982
d20              1.2590         3.4470         1.5000
d23              3.6880         1.5000         3.4470
d25             10.7110         7.6710         5.5300
BF              38.4984        48.1392        59.0042
[レンズ群データ]
群            始面             焦点距離
G1              1                86.88
G2              6               -13.03
G3             15                41.53
G4             21               -80.00
G5             24                63.63
G6             26                46.72
【実施例４】
【０１４１】
図３１は、本発明の実施例４のズームレンズ系のレンズ構成図である。正の屈折力を有する第１レンズ群Ｇ１は、物体側に凸面を向けた負メニスカスレンズＬ１と両凸レンズＬ２から成る正の屈折力を有する接合レンズ、物体側に凸面を向けた正メニスカスレンズＬ３、から構成される。
【０１４２】
負の屈折力を有する第２レンズ群Ｇ２は、物体側に非球面樹脂を接合した凸面を向けた負メニスカスレンズＬ４、両凹レンズＬ５、両凸レンズＬ６、両凹レンズＬ７、から構成される。
【０１４３】
正の屈折力を有する第３レンズ群Ｇ３は、開口絞りＳ、両凹レンズＬ５、両凸レンズＬ６、物体側に凹面を向けた負メニスカスレンズＬ７、から構成される。
【０１４４】
負の屈折力を有する第４レンズ群Ｇ４は、物体側の面に非球面を用いた両凹レンズＬ１１と物体側に凸面を持つ正メニスカスレンズＬ１２から成る負の屈折力を有する接合レンズで構成される。第４レンズ群Ｇ４を光軸と略垂直方向に動かすことにより防振を行っている。
【０１４５】
第５レンズ群Ｇ５は、物体側に凹面を向けた正の屈折力を有する正メニスカスレンズＬ１３で構成される。
【０１４６】
第６レンズ群Ｇ６は、正メニスカスレンズＬ１４、両面に非球面を用いた両凸レンズＬ１５、両凹レンズＬ１６、両凸レンズＬ１７と物体側に凹面を向けた正メニスカスレンズＬ１８から成る負の屈折力を有する接合レンズ、から構成される。
【０１４７】
また、実施例４のズームレンズ系は、広角端から望遠端への変倍に際して、第１レンズ群Ｇ１と第２レンズ群Ｇ２の間隔は大きくなり、第２レンズ群Ｇ２と第３レンズ群Ｇ３との間隔は小さくなり、第３レンズ群Ｇ３と第４レンズ群Ｇ４と第５レンズ群Ｇ５の間隔はそれぞれ変化し、第５レンズ群Ｇ５と第６レンズ群Ｇ６の間隔は小さくなり、第３レンズ群Ｇ３と第５レンズ群Ｇ５の移動量は同じであり、無限遠から近距離物体へのフォーカシングに際して、第２レンズ群Ｇ２を物体側に移動させる。
【０１４８】
続いて、以下に実施例４に係るズームレンズ系の諸元値を示す。
数値実施例4
単位：mm
[面データ]
面番号                r              d             nd             vd
物面                  ∞           (d0)
1             128.7140         1.5000       1.846664          23.78
2              76.8620         7.3030       1.437001          95.10
3            -323.3590         0.1500
4              71.7320         4.7320       1.729160          54.67
5             250.0000           (d5)
6*             179.7030         0.1000       1.518400          52.10
7             129.8830         0.8500       1.883000          40.80
8              18.7980         6.3130
9             -41.7430         0.8500       1.729160          54.67
10              78.6380         0.1500
11              37.0440         5.0390       1.846664          23.78
12             -46.3490         1.0010
13             -28.4980         0.8500       1.729160          54.67
14             260.7290          (d14)
15(絞り)                ∞         0.5000
16              31.5330         4.4990       1.496997          81.61
17             -68.8580         1.7120
18              31.3910         5.6850       1.592824          68.62
19             -46.6460         0.8000       2.000694          25.46
20             263.6810          (d20)
21*            -46.1670         1.0000       1.772503          49.46
22              56.1050         2.1080       1.846664          23.78
23             542.9090         (ｄ23)
24              53.6060         1.7540       1.749500          35.04
25             148.3440         (ｄ25)
26              30.3580         3.2830       1.437001          95.10
27             192.1860         2.3840
28*             56.0120         3.3460       1.583130          59.46
29*            -38.1920         0.5240
30             -94.7090         1.0000       1.772500          49.62
31              40.3520         1.1560
32             768.3260         2.4000       1.437001          95.10
33             -60.6100         0.8000       1.834806          42.72
34            -400.0000           (BF)
像面                  ∞
[非球面データ]
6面           21面           28面           29面
K               0.00000        0.00000        0.00000        0.00000
A4           4.07121E-06    2.40725E-06   -2.09319E-05    1.44179E-05
A6           8.71607E-09    5.63152E-09   -4.41135E-08   -4.91594E-08
A8          -7.44892E-11    1.83759E-11   -6.19825E-11    0.00000E+00
A10          2.04116E-13   -9.31087E-14    0.00000E+00    0.00000E+00
[各種データ]
ズーム比              9.88
広角           中間           望遠
焦点距離             29.20         105.33         288.50
Fナンバー             3.64           5.56           6.51
全画角2ω            74.66          22.13           8.29
像高Y              21.63          21.63          21.63
レンズ全長           150.55         203.57         232.42
[可変間隔データ]
広角           中間           望遠
d0                   ∞             ∞             ∞
d5               2.8000        36.7970        58.8500
d14             27.6570        12.2800         1.7280
d20              2.7210         4.7010         5.0540
d23              4.1230         2.1430         1.7900
d25              6.5710         1.9200         0.4500
BF               44.891         83.941        102.762
d0             349.4482       296.4297       267.5779
d5               1.4677        32.8610        46.8804
d14             28.9893        16.2160        13.6976
d20              2.7210         4.7010         5.0540
d23              4.1230         2.1430         1.7900
d25              6.5710         1.9200         0.4500
BF              44.8910        83.9406       102.7620
[レンズ群データ]
群            始面             焦点距離
G1              1               101.29
G2              6               -16.56
G3             15                33.03
G4             21               -58.82
G5             24               111.11
G6             26               113.09
【実施例５】
【０１４９】
図４１は、本発明の実施例５の結像光学系のレンズ構成図である。正の屈折力を有する第１レンズ群Ｇ１は、物体側に凸面を向けたメニスカスレンズＬ１と両凸レンズＬ２から成る正の屈折力を有する接合レンズ、物体側に凸面を向けた正メニスカスレンズＬ３、から構成される。
【０１５０】
負の屈折力を有する第２レンズ群Ｇ２は、物体側に非球面樹脂を接合した凸面を向けた負メニスカスレンズＬ４、両凹レンズＬ５、両凸レンズＬ６、像面側の面に非球面を用いて物体側に凹面を向けた負メニスカスレンズＬ７、から構成される。
【０１５１】
正の屈折力を有する第３レンズ群Ｇ３は、開口絞りＳ、両凸レンズＬ８、物体側に凸面を向けた負メニスカスレンズＬ９と両凸レンズＬ１０から成る正の屈折力を有する接合レンズ、両凸レンズＬ１１、から構成される。
【０１５２】
第４レンズ群Ｇ４は、物体側に凹面を向けた正メニスカスレンズＬ１２と両凹レンズＬ１３から成る負の屈折力を有する接合レンズで構成される。第４レンズ群Ｇ４を光軸と略垂直方向に動かすことにより防振を行っている。
【０１５３】
第５レンズ群Ｇ５は、物体側に凸面を向けた正の屈折力を有する正メニスカスレンズＬ１４で構成される。
【０１５４】
正の屈折力を有する第６レンズ群Ｇ６は、両面に非球面を用いた両凸レンズＬ１５、物体側に凹面を向けた正メニスカスレンズＬ１６と両凹レンズＬ１７から成る負の屈折力を用いた接合レンズ、から構成される。
【０１５５】
また、実施例５のズームレンズ系は、広角端から望遠端への変倍に際して、第１レンズ群Ｇ１と第２レンズ群Ｇ２の間隔は大きくなり、第２レンズ群Ｇ２と第３レンズ群Ｇ３との間隔は小さくなり、第３レンズ群Ｇ３と第４レンズ群Ｇ４と第５レンズ群Ｇ５の間隔はそれぞれ変化し、第５レンズ群Ｇ５と第６レンズ群Ｇ６の間隔は小さくなり、第３レンズ群Ｇ３と第５レンズ群Ｇ５の移動量は同じであり、無限遠から近距離物体へのフォーカシングに際して、第２レンズ群Ｇ２を物体側に移動させる。
【０１５６】
続いて、以下に実施例５に係るズームレンズ系の諸元値を示す。
数値実施例5
単位：mm
[面データ]
面番号                 r              d             nd             vd
物面                  ∞           (d0)
1             200.0000         1.5000       1.846664          23.78
2              90.0210         7.2000       1.592824          68.62
3           -3068.2230         0.1500
4              60.3460         5.8500       1.772500          49.62
5             150.0000           (d5)
6*             114.3570         0.1000       1.518400          52.10
7              94.9650         0.8500       1.883000          40.80
8              16.0020         8.4590
9             -31.3120         0.8500       1.592824          68.62
10             264.4890         0.4980
11              86.1120         4.8210       1.846664          23.78
12             -39.5430         1.5010
13             -28.2120         1.0000       1.772503          49.46
14*            -66.0250          (d14)
15(絞り)                ∞         1.0870
16              72.8830         2.3460       1.437001          95.10
17           -5195.4610         0.1500
18              37.1200         1.0000       2.001003          29.13
19              23.0970         5.9490       1.437001          95.10
20            -112.5890         0.1000
21              32.2320         4.0960       1.640000          60.20
22           -2192.1220          (d22)
23             -63.0910         3.2340       1.772500          49.62
24             -24.2090         0.8000       1.593493          67.00
25              73.1380         (ｄ25)
26              97.5810         1.7630       1.437001          95.10
27            1995.8870         (ｄ27)
28*             66.2350         5.7550       1.497103          81.56
29*            -25.4300         0.1500
30            -116.1350         2.9340       1.437001          95.10
31             -35.5920         1.0000       1.883000          40.80
32             200.0000           (BF)
像面                  ∞
[非球面データ]
6面           14面           28面           29面
K               0.00000        0.00000        0.00000        0.00000
A4           7.74170E-06   -6.03790E-06   -1.27050E-05    1.33510E-05
A6          -2.20120E-08   -1.35450E-08   -4.23800E-08   -3.89150E-08
A8           2.47540E-11    0.00000E+00    1.38380E-10    1.68670E-10
A10         -2.58530E-14    0.00000E+00    0.00000E+00    0.00000E+00
[各種データ]
ズーム比              4.08
広角           中間           望遠
焦点距離             24.81          50.51         101.30
Fナンバー             4.11           4.11           4.14
全画角2ω            84.18          45.13          23.44
像高Y              21.63          21.63          21.63
レンズ全長           152.01         165.11         192.25
[可変間隔データ]
広角           中間           望遠
d0                   ∞             ∞             ∞
d5               3.3000        19.0000        39.4960
d14             27.4740        10.7380         2.0260
d22              2.7640         6.0780         6.0360
d25              5.9730         2.6600         2.7010
d27             10.4140         4.5500         1.9000
BF               38.941         58.941         76.947
d0             297.9912       284.8901       257.7514
d5               1.2204        15.9199        33.5497
d14             29.5536        13.8181         7.9723
d22              2.7640         6.0780         6.0360
d25              5.9730         2.6600         2.7010
d27             10.4140         4.5500         1.9000
BF              38.9408        58.9410        76.9466
[レンズ群データ]
群            始面             焦点距離
G1              1               106.03
G2              6               -19.04
G3             15                31.81
G4             23               -76.92
G5             26               234.71
G6             28               137.42
【実施例６】
【０１５７】
図５１は、本発明の実施例６のズームレンズ系のレンズ構成図である。正の屈折力を有する第１レンズ群Ｇ１は、物体側に凸面を向けた負メニスカスレンズＬ１と物体側に凸面を向けた正メニスカスレンズＬ２から成る正の屈折力を有する接合レンズ、物体側に凸面を向けた正メニスカスレンズＬ３、から構成される。
【０１５８】
負の屈折力を有する第２レンズ群Ｇ２は、物体側に非球面樹脂を接合した凸面を向けた負メニスカスレンズＬ４、両凹レンズＬ５、両凸レンズＬ６、像面側に非球面を用いて物体側に凹面を向けた負メニスカスレンズＬ７、から構成される。
【０１５９】
正の屈折力を有する第３レンズ群Ｇ３は、開口絞りＳ、両凸レンズＬ８、物体側に凸面を向けた負メニスカスレンズＬ９と物体側に凸面を向けた正メニスカスレンズＬ１０から成る正の屈折力を有する接合レンズ、物体側に凸面を向けた正メニスカスレンズＬ１１、から構成される。
【０１６０】
負の屈折力を有する第４レンズ群Ｇ４は、物体側に凹面を向けた正メニスカスレンズＬ１２と像面側に非球面を用いた両凹レンズＬ１３から成る負の屈折力を有する接合レンズ、から構成される。第４レンズ群Ｇ４を光軸と略垂直方向に動かすことにより防振を行っている。
【０１６１】
第５レンズ群Ｇ５は、物体側に凸面を向けた正の屈折力を有する正メニスカスレンズＬ１４で構成される。
【０１６２】
正の屈折力を有する第６レンズ群Ｇ６は、両面に非球面を用いた両凸レンズＬ１５、物体側に凸面を向けた負メニスカスレンズＬ１６と物体側に凸面を向けた正メニスカスレンズＬ１７から成る負の屈折力を有する接合レンズ、から構成される。
【０１６３】
また、実施例６のズームレンズ系は、広角端から望遠端への変倍に際して、第１レンズ群Ｇ１と第２レンズ群Ｇ２の間隔は大きくなり、第２レンズ群Ｇ２と第３レンズ群Ｇ３との間隔は小さくなり、第３レンズ群Ｇ３と第４レンズ群Ｇ４と第５レンズ群Ｇ５の間隔はそれぞれ変化し、第５レンズ群Ｇ５と第６レンズ群Ｇ６の間隔は小さくなり、第３レンズ群Ｇ３と第５レンズ群Ｇ５の移動量は同じであり、無限遠から近距離物体へのフォーカシングに際して、第２レンズ群Ｇ２を物体側に移動させる。
【０１６４】
続いて、以下に実施例６に係るズームレンズ系の諸元値を示す。
数値実施例6
単位：mm
[面データ]
面番号                r              d             nd             vd
物面                  ∞           (d0)
1             200.0000         1.8000       1.945945          17.98
2             110.1870         4.5210       1.592824          68.62
3             334.5980         0.1500
4              53.4270         6.0720       1.772500          49.62
5             154.2970           (d5)
6*             200.0000         0.1000       1.518400          52.10
7              83.8490         1.3000       1.883000          40.80
8              17.7930        10.3150
9             -31.3890         0.8500       1.772500          49.62
10             137.3650         0.6280
11              77.0870         4.8590       1.846664          23.78
12             -43.2980         4.2880
13             -20.5650         1.0000       1.497103          81.56
14*            -37.1970          (d14)
15(絞り)                ∞         1.0000
16              54.1790         4.5410       1.592824          68.62
17            -115.5160         0.1500
18              59.1260         1.0000       2.001003          29.13
19              21.5190         7.7570       1.729160          54.67
20             331.1400         0.1500
21              57.6220         3.3220       1.834806          42.72
22            2556.0460          (d22)
23             -45.4110         2.5430       2.001003 29.13
24             -30.1040         1.0000       1.592014          67.02
25*            124.2270         (ｄ25)
26              80.0000         1.9200       1.437001          95.10
27             216.7360         (ｄ27)
28*             41.4010         7.4440       1.497103          81.56
29*            -36.7370         0.1500
30             130.9300         1.0000       1.910823          35.25
31              23.6390         5.7380       1.437001          95.10
32             476.4760           (BF)
像面                  ∞
[非球面データ]
6面           14面           25面
K               0.00000        0.00000        0.00000
A4           1.37420E-05   -2.04050E-06   -7.22540E-07
A6          -1.53950E-08   -2.50480E-10   -4.68560E-09
A8           1.28830E-11   -2.75220E-11    7.38250E-12
A10          3.49230E-14    2.13990E-14    2.80820E-15
28面           29面
K               0.00000        0.00000
A4          -1.02700E-05    8.04820E-06
A6          -7.15290E-09   -2.05100E-08
A8          -1.91080E-11    2.56610E-11
A10          0.00000E+00   -8.06120E-14
[各種データ]
ズーム比              2.74
広角           中間           望遠
焦点距離             24.85          50.00          68.00
Fナンバー             2.92           2.92           2.93
全画角2ω            83.71          45.71          34.33
像高Y              21.63          21.63          21.63
レンズ全長           150.73         167.12         178.30
[可変間隔データ]
広角           中間           望遠
d0                   ∞             ∞             ∞
d5               3.9000        21.5250        28.0230
d14             19.8030         5.8650         1.4000
d22              3.5770         7.4720         8.2040
ｄ25              6.6340         2.7390         2.0060
ｄ27              4.5280         1.2380         0.4500
BF               38.693         54.678        64.6141
d0             229.2674       212.8848       201.7049
d5               1.5174        17.8674        23.5882
d14             22.1856         9.5226         5.8348
d22              3.5770         7.4720         8.2040
ｄ25              6.6340         2.7390         2.0060
ｄ27              4.5280         1.2380         0.4500
BF              38.6926        54.6783        64.6140
[レンズ群データ]
群            始面             焦点距離
G1              1               106.44
G2              6               -18.10
G3             15                32.76
G4             23               -76.92
G5             26               288.94
G6             28                83.31
【実施例７】
【０１６５】
図６１は、本発明の実施例７の結像光学系のレンズ構成図である。正の屈折力を有する第１レンズ群Ｇ１は、物体側に凸面を向けた負メニスカスレンズＬ１と物体側に凸面を向けた正メニスカスレンズＬ２から成る正の屈折力を有する接合レンズ、物体側に凸面を向けた正メニスカスレンズＬ３、から構成される。
【０１６６】
負の屈折力を有する第２レンズ群Ｇ２は、物体側に非球面樹脂を接合した凸面を向けた負メニスカスレンズＬ４、物体側に凹面を向けた負メニスカスレンズＬ５、両凸レンズＬ６、像面側に非球面を向けて物体側に凹面を向けた負メニスカスレンズＬ７、から構成される。
【０１６７】
正の屈折力を有する第３レンズ群Ｇ３は、開口絞りＳ、両凸レンズＬ８、物体側に凸面を向けた負メニスカスレンズＬ９と両凸レンズＬ１０から成る正の屈折力を有する接合レンズ、両凸レンズＬ１１、から構成される。
【０１６８】
第４レンズ群Ｇ４は、物体側に凹面を向けた正メニスカスレンズＬ１２と像面側に非球面を用いた両凹レンズＬ１３から成る負の屈折力を有する接合レンズから構成される。第４レンズ群Ｇ４を光軸と略垂直方向に動かすことにより防振を行っている。
【０１６９】
第５レンズ群Ｇ５は、物体側に凸面を向けた正メニスカスレンズＬ１４から構成される。
【０１７０】
正の屈折力を有する第６レンズ群Ｇ６は、両面に非球面を用いた両凸レンズＬ１５、物体側に凹面を向けた正メニスカスレンズＬ１６、両凹レンズＬ１７と物体側に凸面を向けた正メニスカスレンズＬ１８から成る負の屈折力を有する接合レンズ、から構成される。
【０１７１】
また、実施例７のズームレンズ系は、広角端から望遠端への変倍に際して、第１レンズ群Ｇ１と第２レンズ群Ｇ２の間隔は大きくなり、第２レンズ群Ｇ２と第３レンズ群Ｇ３との間隔は小さくなり、第３レンズ群Ｇ３と第４レンズ群Ｇ４と第５レンズ群Ｇ５の間隔はそれぞれ変化し、第５レンズ群Ｇ５と第６レンズ群Ｇ６の間隔は小さくなり、第３レンズ群Ｇ３と第５レンズ群Ｇ５の移動量は同じであり、無限遠から近距離物体へのフォーカシングに際して、第２レンズ群Ｇ２を物体側に移動させる。
【０１７２】
続いて、以下に実施例７に係るズームレンズ系の諸元値を示す。
数値実施例7
単位：mm
[面データ]
面番号                r              d             nd             vd
物面                  ∞           (d0)
1             200.0000         1.8000       1.922860          20.88
2             123.2980         4.5650       1.592824          68.62
3             557.2120         0.1500
4              59.3990         5.9330       1.618806          63.85
5             216.8630           (d5)
6*             149.5320         0.1000       1.518400          52.10
7              81.8960         1.3000       1.883000          40.80
8              16.2760         7.6600
9             -32.1600         0.8500       1.729160          54.67
10           -1064.3770         3.1290
11             102.8970         4.3220       1.805181          25.46
12             -35.9240         0.9360
13             -22.1220         1.0000       1.592014          67.02
14*            -77.2250          (d14)
15(絞り)                ∞         1.0000
16              43.1230         4.6380       1.592824          68.62
17            -801.6870         0.1500
18              43.8190         0.8500       2.001003          29.13
19              20.2740         4.8010       1.592824          68.62
20            -990.7370         0.9570
21              68.1780         3.3960       1.772500          49.62
22            -257.3070          (d22)
23             -36.6060         2.0030       2.001003          29.13
24             -24.0440         1.0000       1.592014          67.02
25*            156.3190         (ｄ25)
26              53.5570         1.7650       1.437001          95.10
27             117.8930         (ｄ27)
28*             61.6310         3.8840       1.592014          67.02
29*            -76.0170         0.7350
30            -566.5510         5.3980       1.437001          95.10
31             -26.3880         0.1500
32           -1012.9530         1.0000       1.910823          35.25
33              26.4050         4.8880       1.437001          95.10
34             200.0000           (BF)
像面                  ∞
[非球面データ]
6面           14面           25面
K               0.00000        0.00000        0.00000
A4           1.40610E-05   -4.38420E-06   -2.22800E-08
A6          -1.86190E-08   -1.46990E-08   -1.63150E-08
A8           1.28710E-11    4.52870E-11    1.21260E-10
A10          9.68860E-14   -3.12130E-15   -3.25430E-13
28面           29面
K               0.00000        0.00000
A4          -3.08480E-06    1.94200E-05
A6          -1.41090E-08   -5.08410E-09
A8          -8.32040E-11   -1.22140E-10
A10          0.00000E+00    6.42920E-14
[各種データ]
ズーム比              2.74
広角           中間           望遠
焦点距離             24.85          50.00          68.00
Fナンバー             2.91           3.82           4.13
全画角2ω            83.77          45.90          34.31
像高Y              21.63          21.63          21.63
レンズ全長           146.20         164.34         180.49
[可変間隔データ]
広角           中間           望遠
d0                   ∞             ∞             ∞
d5               4.8000        18.5030        30.7570
d14             18.3770         4.8290         1.8850
d22              3.2180         5.8680         5.7990
d25              4.3070         1.6570         1.7260
d27              7.1370         2.0940         1.0900
BF               40.001         63.032        70.8702
d0             133.7997       115.6538        99.5128
d5               1.6625        14.3596        25.4053
d14             21.5145         8.9724         7.2367
d22              3.2180         5.8680         5.7990
d25              4.3070         1.6570         1.7260
d27              7.1370         2.0940         1.0900
BF              40.0013        63.0322        70.8702
[レンズ群データ]
群            始面             焦点距離
G1              1               117.63
G2              6               -17.51
G3             15                33.06
G4             23               -72.55
G5             26               222.72
G6             28                77.11
【０１７３】
また、これらの各実施例における条件式対応値一覧を示す。
条件式／実施例                  1          2          3          4
（１）０．２＜ｆ１／ｆｔ＜３．０         0.3801     1.3480     1.7987     0.3511
（２）０．１＜ｆ６／ｆｔ＜２．０         0.2354     0.6270     0.9673     0.3920
（３）０．３＜｜ｆ２／ｆｗ｜＜１．０     0.7667     0.7353     0.6987     0.5671
（４）０．３＜｜ｆ３／ｆ４｜＜１．０     0.6542     0.7420     0.5191     0.5616
（５）０．１＜｜ｆ４／ｆ５｜＜３．０     0.3202     2.0125     1.2572     0.5294
（６）ｎｄ１Ｔａｖｅ＞１．４９           1.5149     1.7379     1.7379     1.5831
（７）６４＜νｄ１Ｔ                      95.10      68.63      68.63      95.10
（８）ｎｄ１Ｕ＞１．８０                 1.9108     1.8467     1.8467     1.8467
（９）ｎｄ３Ｔａｖｅ＜１．７               1.49       1.64       1.66       1.54
（１０）６４＜νｄ３Ｔ                    95.10      95.10      95.10      81.61
（１１）ｎｄ６Ｔａｖｅ＜１．７             1.52       1.51       1.62       1.49
（１２）６４＜νｄ６Ｔ                    95.10      95.10      95.10      95.10
（１３）８＜ｆ２／β３６ｗ＜２４        14.3210    12.9422    13.0330    12.7984
条件式／実施例                  5           6           7
（１）０．２＜ｆ１／ｆｔ＜３．０         1.0467      1.5654      1.7298
（２）０．１＜ｆ６／ｆｔ＜２．０         1.3566      1.2252      1.1340
（３）０．３＜｜ｆ２／ｆｗ｜＜１．０     0.7676      0.7284      0.7044
（４）０．３＜｜ｆ３／ｆ４｜＜１．０     0.4135      0.4259      0.4557
（５）０．１＜｜ｆ４／ｆ５｜＜３．０     0.3277      0.2662      0.3257
（６）ｎｄ１Ｔａｖｅ＞１．４９           1.6827      1.6827      1.6058
（７）６４＜νｄ１Ｔ                      68.63       68.63       68.63
（８）ｎｄ１Ｕ＞１．８０                 1.8467      1.9496      1.9229
（９）ｎｄ３Ｔａｖｅ＜１．７               1.50        1.72        1.65
（１０）６４＜νｄ３Ｔ                    95.10       68.63       68.63
（１１）ｎｄ６Ｔａｖｅ＜１．７             1.47        1.47        1.49
（１２）６４＜νｄ６Ｔ                    95.10       95.10       95.10
（１３）８＜ｆ２／β３６ｗ＜２４        20.2530     18.4749     16.5156
【０１７４】
尚、各実施例に対応する収差図において、ｄ、ｇ、Ｃはそれぞれｄ線、ｇ線、Ｃ線を表しており、ΔＳ、ΔＭはそれぞれサジタル像面、メリジオナル像面を表している。
【符号の説明】
【０１７５】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｓ      開口絞り
Ｉ      像面
【図１】
0006350096.tif 000003
【図２】
0006350096.tif 000004
【図３】
0006350096.tif 000005
【図４】
0006350096.tif 000006
【図５】
0006350096.tif 000007
【図６】
0006350096.tif 000008
【図７】
0006350096.tif 000009
【図８】
0006350096.tif 000010
【図９】
0006350096.tif 000011
【図１０】
0006350096.tif 000012
【図１１】
0006350096.tif 000013
【図１２】
0006350096.tif 000014
【図１３】
0006350096.tif 000015
【図１４】
0006350096.tif 000016
【図１５】
0006350096.tif 000017
【図１６】
0006350096.tif 000018
【図１７】
0006350096.tif 000019
【図１８】
0006350096.tif 000020
【図１９】
0006350096.tif 000021
【図２０】
0006350096.tif 000022
【図２１】
0006350096.tif 000023
【図２２】
0006350096.tif 000024
【図２３】
0006350096.tif 000025
【図２４】
0006350096.tif 000026
【図２５】
0006350096.tif 000027
【図２６】
0006350096.tif 000028
【図２７】
0006350096.tif 000029
【図２８】
0006350096.tif 000030
【図２９】
0006350096.tif 000031
【図３０】
0006350096.tif 000032
【図３１】
0006350096.tif 000033
【図３２】
0006350096.tif 000034
【図３３】
0006350096.tif 000035
【図３４】
0006350096.tif 000036
【図３５】
0006350096.tif 000037
【図３６】
0006350096.tif 000038
【図３７】
0006350096.tif 000039
【図３８】
0006350096.tif 000040
【図３９】
0006350096.tif 000041
【図４０】
0006350096.tif 000042
【図４１】
0006350096.tif 000043
【図４２】
0006350096.tif 000044
【図４３】
0006350096.tif 000045
【図４４】
0006350096.tif 000046
【図４５】
0006350096.tif 000047
【図４６】
0006350096.tif 000048
【図４７】
0006350096.tif 000049
【図４８】
0006350096.tif 000050
【図４９】
0006350096.tif 000051
【図５０】
0006350096.tif 000052
【図５１】
0006350096.tif 000053
【図５２】
0006350096.tif 000054
【図５３】
0006350096.tif 000055
【図５４】
0006350096.tif 000056
【図５５】
0006350096.tif 000057
【図５６】
0006350096.tif 000058
【図５７】
0006350096.tif 000059
【図５８】
0006350096.tif 000060
【図５９】
0006350096.tif 000061
【図６０】
0006350096.tif 000062
【図６１】
0006350096.tif 000063
【図６２】
0006350096.tif 000064
【図６３】
0006350096.tif 000065
【図６４】
0006350096.tif 000066
【図６５】
0006350096.tif 000067
【図６６】
0006350096.tif 000068
【図６７】
0006350096.tif 000069
【図６８】
0006350096.tif 000070
【図６９】
0006350096.tif 000071
【図７０】
0006350096.tif 000072